(57)【要約】【目的】採種用たまねぎの刈取収穫作業を機械化して採種用たまねぎの収穫作業の労力軽減を図り、また、その機械化にあたり茎部の長さを揃えて刈取れるようにすることを課題とする。【構成】走行装置１，１を備えた機体に、畝Ｕに植立する採種用たまねぎＴを刈取り収穫する収穫作業部Ｗを設け、該収穫作業部Ｗには、畝Ｕに植立する採種用たまねぎＴの茎部Ｋを挟持して搬送する第一搬送装置２と、畝Ｕに植立する採種用たまねぎＴの茎部Ｋを切断する第一切断装置３と、前記第一搬送装置２の搬送方向下手側で搬送作用体４，４を採種用たまねぎＴの茎部Ｋの幅より広く花球部分Ｓの径よりも狭い間隔で左右に配置した第二搬送装置５と、該第二搬送装置５で搬送される途中或は終端部で採種用たまねぎＴの茎部Ｋを花球部分Ｓから設定長さで切断する第二切断装置６，６を設けた構成とする。【選択図】図１
2004041085.tif 000002
【特許請求の範囲】
【請求項１】
走行装置１，１を備えた機体に、畝Ｕに植立する採種用たまねぎＴを刈取り収穫する収穫作業部Ｗを設け、該収穫作業部Ｗには、畝Ｕに植立する採種用たまねぎＴの茎部Ｋを挟持して搬送する第一搬送装置２と、畝Ｕに植立する採種用たまねぎＴの茎部Ｋを切断する第一切断装置３と、前記第一搬送装置２の搬送方向下手側で搬送作用体４，４を採種用たまねぎＴの茎部Ｋの幅より広く花球部分Ｓの径よりも狭い間隔で左右に配置した第二搬送装置５と、該第二搬送装置５で搬送される途中或は終端部で採種用たまねぎＴの茎部Ｋを花球部分Ｓから設定長さで切断する第二切断装置６，６を設けたことを特徴とする採種用たまねぎ収穫機。
【請求項２】
前記収穫作業部Ｗの第一搬送装置２と第二搬送装置５と第二切断装置６，６を機体に対して高さ調節可能に設けたことを特徴とする請求項１記載の採種用たまねぎ収穫機。
【請求項３】
前記第一切断装置３を高さ調節可能に設けたことを特徴とする請求項１記載の採種用たまねぎ収穫機。
【請求項４】
前記走行装置１，１を左右に配置し、該左右の走行装置１，１に正面視門型状の機体フレーム７を設け、該門型状の機体フレーム７の内側に前記収穫作業部Ｗを着脱可能に取付けたことを特徴とする請求項１又は請求項２或は請求項３記載の採種用たまねぎ収穫機。
【発明の詳細な説明】
【発明の属する技術分野】
この発明は、採種用のたまねぎを収穫する採種用たまねぎ収穫機に関する。
【従来の技術】
従来、たまねぎの種子を採取するための採種用たまねぎを収穫する収穫機はなく、たまねぎの採種農家は、夏の暑い日中に人海戦術に頼って収穫作業を行なっていた。一般に、ネギ坊主と言われる花球部にはたまねぎの種子が実っており、採種農家はこの種を収穫するために例年７月中旬頃にたまねぎの茎を切断してこれを持ち帰り、所定本数毎に束ねて１０日程度軒先等に吊るして乾燥させ、乾燥後に花球部分を解して種だけを採取していた。
【発明が解決しようとする課題】
こうした収穫作業は、夏の一番暑い時期に行なわれ、しかも、茎部を切断して収穫する作業には多くの人手を要し、また、腰を屈めてたまねぎの茎の刈り取り作業をしなければならず、高齢者や婦女子にとってはきわめて過酷な重労働であり、生産現場では収穫作業の機械化が望まれていた。採種用たまねぎの収穫作業を機械化する場合、刈取り後の茎部の結束作業や結束後の乾燥処理作業の便を図るため、茎部の長さを例えば３０〜５０ｃｍの長さに揃えて採種用たまねぎを刈取る必要がある。一方、畝に植立する採種用たまねぎは、高い丈のものもあれば低い丈のものもある。そこで、本発明は、採種用たまねぎの刈取収穫作業を機械化して採種用たまねぎの収穫作業の労力軽減を図り、また、その機械化にあたり茎部の長さを揃えて刈取れるようにすることを課題とする。
【課題を解決するための手段】
この発明は、上記課題を解決するために以下のような構成とした。
即ち、請求項１記載の発明は、走行装置１，１を備えた機体に、畝Ｕに植立する採種用たまねぎＴを刈取り収穫する収穫作業部Ｗを設け、該収穫作業部Ｗには、畝Ｕに植立する採種用たまねぎＴの茎部Ｋを挟持して搬送する第一搬送装置２と、畝Ｕに植立する採種用たまねぎＴの茎部Ｋを切断する第一切断装置３と、前記第一搬送装置２の搬送方向下手側で搬送作用体４，４を採種用たまねぎＴの茎部Ｋの幅より広く花球部分Ｓの径よりも狭い間隔で左右に配置した第二搬送装置５と、該第二搬送装置５で搬送される途中或は終端部で採種用たまねぎＴの茎部Ｋを花球部分Ｓから設定長さで切断する第二切断装置６，６を設けたことを特徴とする採種用たまねぎ収穫機としたものである。
請求項２記載の発明は、前記収穫作業部Ｗの第一搬送装置２と第二搬送装置５と第二切断装置６，６を機体に対して高さ調節可能に設けたことを特徴とする請求項１記載の採種用たまねぎ収穫機としたものである。
請求項３記載の発明は、前記第一切断装置３を高さ調節可能に設けたことを特徴とする請求項１記載の採種用たまねぎ収穫機としたものである。
請求項４記載の発明は、前記走行装置１，１を左右に配置し、該左右の走行装置１，１に正面視門型状の機体フレーム７を設け、該門型状の機体フレーム７の内側に前記収穫作業部Ｗを着脱可能に取付けたことを特徴とする請求項１又は請求項２或は請求項３記載の採種用たまねぎ収穫機としたものである。
【作用】
本発明に係る採種用たまねぎ収穫機は、走行装置１，１により機体が自走し、第一搬送装置２が畝Ｕに植立する採種用たまねぎＴの茎部Ｋを挟持して搬送するとともに、第一切断装置３が畝Ｕに植立する採種用たまねぎＴの茎部Ｋを切断する。そして、第一切断装置３により茎部が切断された採種用たまねぎＴが第二搬送装置５に引き継がれて該第二搬送装置５の搬送作用体４，４にて搬送される。ここで、第二搬送装置５の搬送作用体４，４は採種用たまねぎＴの茎Ｋ部の幅より広く花球部分Ｓの径よりも狭い間隔で左右に配置されているので、採種用たまねぎＴは前記第一搬送装置２による挟持状態が解かれて落下し、搬送作用体４，４に花球部分Ｓが支えられて茎部Ｋが吊下げられた状態で搬送される。このような状態で搬送されて第二切断装置６，６が採種用たまねぎＴの茎部Ｋを花球部分Ｓから設定長さで切断する。
また、畝Ｕに植立する採種用たまねぎＴの丈が全体的に高いときや低いときには、それに応じて、前記収穫作業部Ｗの第一搬送装置２と第二搬送装置５と第二切断装置６，６を機体に対して適宜高さに調節する。
畝Ｕの高さが機体に対して高いときや低いときには、それに応じて前記第一切断装置３を適宜高さに調節する。
収穫作業時以外では、前記収穫作業部Ｗを取り外しておけば、たまねぎの母球植え作業や防除作業などの他の作業時に、走行機体を畝Ｕを跨がせて自走させ、作業者は当該走行機体に乗車して作業が行える。なお、たまねぎの母球植え作業時には、たまねぎの母球を収容する容器を機体上に載せる載置部を走行機体に取付け、防除作業には、防除機を走行機体に取付けることもできる。
【発明の効果】
請求項１記載の発明は、前記のような構成としたものであるから、採種用たまねぎの刈取収穫作業が機械化できて採種用たまねぎの収穫作業の労力軽減が図れ、また、茎部の長さを揃えて採種用たまねぎを収穫できて後工程の結束作業や結束後の乾燥処理作業が容易となる。
請求項２記載の発明は、上記効果を奏するとともに、畝Ｕに植立する採種用たまねぎの丈が全体的に高いときや低いときには、収穫作業部Ｗの高さを適宜調節できて、適確な収穫作業が行える。
請求項３記載の発明は、上記効果を奏するとともに、畝Ｕの高さが機体に対して高いときや低いときには、第一切断装置３の高さを適宜調節できて、畝に植立する採種用たまねぎを適確に刈取りできる。
請求項４記載の発明は、収穫作業時以外では、収穫作業部Ｗを取り外し、たまねぎの母球植え作業や防除作業などの他の作業時に走行機体を利用でき、機体の利用価値が高まり、他の作業の労力軽減も図れる。
【発明の実施の形態】
以下、本発明の実施の形態の一例を説明する。この採種用たまねぎ収穫機は、走行装置１を備えた機体に、畝Ｕに植立する採種用たまねぎＴを刈取り収穫する収穫作業部Ｗを設けた構成とし、畝Ｕを跨いで機体を自走させて、跨いだ畝Ｕに植立する採種用たまねぎＴを収穫作業部Ｗが連続的に刈取り収穫していくものとしている。
走行装置１は、機体の左右に配置し、左右一方側の走行装置１の上方に配置したエンジンから動力が伝達されて駆動する構成としている。本例では、クローラ式の走行装置に構成しているが、ホイール式の走行装置に構成してもよい。
左右の走行装置１，１の上部には、正面視門型状の機体フレーム７を設け、該門型状の機体フレーム７の内側に前記収穫作業部Ｗを着脱可能に取付けている。左右一方側の走行装置１の上方に配置したエンジンの動力は、その下方に配置される走行装置１，１には適宜設けた伝動装置を介して伝動し、左右反対側の走行装置１には門型状の機体フレーム７に沿って設けた伝動装置を介して伝動する構成としている。
左右の走行装置１，１の各後側には、収穫作業部Ｗで収穫された採種用たまねぎＴを容器に収容する作業を行う作業者が搭乗する搭乗部としての座席８，８を設けている。左右一方側の走行装置１の後側には機体操縦部９を設けていて、該機体操縦部９の後方に、左右一方側の座席８が配置され、該座席８に着座して搭乗した作業者は、機体操縦も兼ねて行うようになっている。
収穫作業部Ｗの後側には、収穫作業部Ｗで収穫された採種用たまねぎＴを収容する収穫容器を載置する収穫容器載置部１０を設けている。また、収穫容器載置部１０は、前記左右の座席８，８の間に配置していて、該左右の座席８，８に着座する作業者は、収穫作業部Ｗの後部から出てくる収穫された採種用たまねぎＴをとって左右の作業者間に置かれた収穫容器に収容するものとなる。
収穫作業部Ｗには、畝に植立する採種用たまねぎＴの茎部Ｋを挟持して搬送する第一搬送装置２と、畝に植立する採種用たまねぎＴの茎部Ｋを切断する第一切断装置３と、前記第一搬送装置２の搬送方向下手側で搬送作用体４，４を採種用たまねぎＴの茎部Ｋの幅より広く花球部分Ｓの径よりも狭い間隔で左右に配置した第二搬送装置５と、該第二搬送装置５で搬送される途中或は終端部で採種用たまねぎＴの茎部Ｋを花球部分Ｓから設定長さで切断する第二切断装置６，６を設けている。
また、収穫作業部Ｗの第一搬送装置２と第二搬送装置５と第二切断装置６，６は、機体に対して高さ調節可能に取り付けている。本例では、収穫作業部Ｗの第一搬送装置２と第二搬送装置５と第二切断装置６，６を支持する作業部フレーム１１に取付部１２を設け、前記門型の機体フレーム７に上下に取付個所を複数有する取付部１３を設け、該機体フレーム７側の取付部１３の一つの取付個所を選択してそこに作業部フレーム１１側の取付部１２を係合し固定する構成としている。なお、作業部フレーム１１と機体フレーム７との間にリンク機構等により構成した上下動調節機構を介して取り付け、該上下動調節機構を操作する操作具を操作して収穫作業部Ｗを容易に高さ調節操作可能に設けることもできる。なお、高さ調節可能に設ける第一切断装置３を作業部フレーム１１で支持する構成にすると、第一搬送装置２による採種用たまねぎＴの茎部Ｋの挟持位置に対する第一切断装置３の切断位置の位置関係を変更せずに収穫作業部Ｗの高さ調節ができて、良好な刈取り収穫作業が行える。
第一搬送装置２は機体後方に搬送駆動される左右一対の挟持搬送体１４，１４…を備える。本例では、挟持搬送体１４，１４…は外周面がスポンジ等の弾性部材で形成した帯状の無端ベルトで構成し、これを左右一対、隣接するベルト面が互いに接近或は接触する状態で配置し、且つこの近接するベルト面が共に後方に移動するように駆動されるよう設け、更に、このように構成した左右一対の無端ベルトを４組左右及び上下に並べて配置した構成としている。
第一切断装置３は、切断作用部が左右に幅広い切断作用体１３を備えている。また、該第一切断装置３の切断作用体１５は機体に対して高さ調節可能に設けている。本例では、切断作用体１５をバリカン型の切断装置に構成し、前記エンジンの動力を適宜設けた伝動装置を介して伝動され、また、第一切断装置３の上下位置が変更しても伝動状態を維持するようフレキシブルシャフト１６を介して伝動している。第一切断装置３の支持構成は、切断作用体１２の左右両側部に設けた支持フレーム１７，１７を前記機体フレーム７の内側左右に設けた取付部に左右横方向の軸心周りに回動自在に取り付け、左右一方側の支持フレーム１７の中間部に、左右横方向の軸心周りに回動自在に機体フレーム７の内側に取り付けられたレバー１８の前端部を長孔を介して回動自在に連結し、該レバー１８の後部を位置変更可能に係合するレバーガイド１９に係合させて、該レバー１８のレバー１８への上下方向の係合位置を変更操作することで第一切断装置３の切断作用体１５の上下位置を機体に対して変更調節可能となっている。なお、切断作用体１２は、回転式の切断装置としてもよい。
第二搬送装置５は、前記第一搬送装置２の搬送方向下手側で搬送作用体４，４を採種用たまねぎＴの茎部Ｋの幅より広く花球部分Ｓの径よりも狭い間隔で左右に配置したものであり、第二切断装置６，６は、搬送作用体４，４より設定間隔下方に配置したものである。ここで、第一搬送装置２により挟持搬送されてきた採種用たまねぎＴは、第一搬送装置２による挟持状態が解かれて落下し、搬送作用体４，４に花球部分Ｓが支えられて茎部Ｋが吊下げられた状態で搬送されるようになる。ここで花球部分Ｓの上下位置が自動的に揃えられ、その後、搬送作用体４，４より設定間隔下方に配置した第二切断装置６，６が茎部Ｋを切断することで、収穫した採種用たまねぎＴの茎部Ｋの長さを設定長さに切り揃えることになる。なお、左右のベルトの間に茎部を挟持した状態で、花球部分がベルト上端面に引っかかるまで茎部を強制的に下方に引っ張って、花球部分の上下位置を揃える方法も考えられるが、花球部分が異なる高さにある茎部が複数本左右に重なった状態になっていると、これら複数本を同時に強制的に茎部を下方に引っ張ってしまい、その結果、花球部分の上下位置を揃えることができない問題がある。この点、上記構成によれば、茎部の挟持状態を解いて落下させる方法なので、上記のような問題が生じ難い。なお、左右の搬送作用体４，４の間隔以上に茎部が複数本左右に重なって採種用たまねぎが搬送される状態になると茎部が落下しにくくなる場合がある。この場合、走行装置１の上方に設けた補助座席２０に補助作業者が着座して搭乗し、この補助作業者が、前記のように第二搬送装置５で採種用たまねぎＴが詰まってしまい落下しないものがあるとき、花球部分Ｓを手で下方に押し込むことができるようになっている。
なお、第二切断装置６，６は、第二搬送装置５の途中と終端部に設けており、２段階に設けており、茎部Ｋの切り揃えが一層確実に行える。また、第一搬送装置２の搬送終端部下側にも予備切断装置２１を設けている。これにより、第二搬送装置５において採種用たまねぎＴが落下する前に茎部Ｋを事前に短く切断するものとなり、採種用たまねぎＴが落下したとき茎部Ｋの下端が畝上面或は刈取られた後の採種用たまねぎの切り株につっかえて充分に落下しなくなるのを防止できる。
本例において、第二搬送装置５は、左右外側にラグ付き搬送ベルトを設け、左右内側にラグなし搬送ベルトを設け、両ベルトが隣接するベルト面が共に後方に移動するように駆動する構成とし、この左右一対の搬送ベルトを２組左右に並べて配置し、前記第一搬送装置２の２組の挟持搬送体１４，１４；１４，１４の各搬送終端部から受継いで後方に採種用たまねぎＴを搬送するように設けている。なお、左右外側の搬送作用体４，４は、上記のように茎部Ｋを挟持しないで花球部分Ｓをベルト上端面で支持し茎部Ｋを吊下げた状態で後方に搬送するため、その後方搬送を確実に行うためにラグ付きベルトにしたもので、左右内側の搬送ベルトについてもラグ付きにしてもよい。また、左右の搬送ベルトをラグなしで構成することもある。
第二切断装置６，６，６及び予備切断装置２１は、駆動回転される円盤状の回転刃を左右に互いに重ね合わせて設け、その重ね合わせた部分を第一搬送装置２及び第二搬送装置５の搬送経路下方に位置するように配置したものとしている。勿論、別の切断機構を採用しても良い。
ところで、第一搬送装置２の前側には、畝Ｕに植立する採種用たまねぎＴを第一搬送装置２の搬送始端部に案内する案内装置２２を設けている。この案内装置２２は、第一搬送装置２の挟持搬送体１４，１４；１４，１４の左右の挟持搬送始端部に分けて案内する分草体２３を左右中央部に設け、左右両外側に回転駆動される搬送案内体２４，２４；２４，２４を設けた構成としている。
また、第二搬送装置５の後ろ側には、第二切断装置６，６で切断処理された採種用たまねぎＴを第二搬送装置５から受継いで前記収穫容器載置部１０に向けて搬送する第三搬送装置２５を設けている。第三搬送装置２５は、左右中央側に後述の搬送ベルト３４，３４を駆動回転されるように設けるとともに、該搬送ベルト３４，３４の左右外側に挟持杆５９，５９を設ける。この挟持杆５９，５９は、搬送始端部側に配置した上下方向の軸回りに回動自在に取付け、更に、スプリング等の弾撥部材によって付勢されて挟持杆５９，５９が搬送ベルト３４，３４のベルト面に圧接するように設けている。搬送ベルト３４，３４と挟持杆５９，５９との間に採種用たまねぎＴの茎部Ｋを挟んで搬送する構成であり、また、前記弾撥部材の付勢に抗して挟持杆５９，５９を搬送ベルト３４，３４から左右外側に離れるように移動させることが可能であり、これにより、収穫容器が満杯になって交換するとき等に、第三搬送装置２５で搬送中の採種用たまねぎＴを作業者がまとめて一度に取り出すことが容易に行える。
上記収穫作業部Ｗの各装置の伝動構成は、本例では、以下のように構成している。即ち、左右一方側の走行装置１の上方に搭載したエンジンから適宜設けた伝動装置を介して門型状の機体フレーム７に沿って左右反対側の機体フレーム７の上部に動力が伝動し、そこでその下方の走行装置１への伝動経路から動力を分岐し、下方に延びる伸縮可能な伝動軸２６に伝動する。そして、第二搬送装置５の後側上方に配置し作業部フレーム１１に支持された伝動ケース２７内に伝動し、該伝動ケース２７内に入力された動力は左右方向にのびる伝動軸に伝動し、該伝動軸の４箇所からそれぞれ前方に動力が分岐して第二搬送装置５の各搬送作用体４，４；４，４の後側回転軸２８，２８，２８，２８の上方に動力が取り出される。そして、その取り出された動力が下方に延びる伝動軸２９，２９，２９，２９を介して第二搬送装置５の後側回転軸２８，２８，２８，２８のそれぞれに伝動する。なお、前記伝動軸２６を伸縮可能に構成したのは、収穫作業部Ｗを前記のように上下高さ調節したときに、それに応じて伝動軸２６が伸縮する必要があるからである。
第二搬送装置５の後側回転軸２８，２８，２８，２８は、図５に示すように、作業部フレーム１１に設けた回転軸取付部３０…に回転自在に取り付け、該後側回転軸２８，２８，２８，２８のそれぞれに、上側から順に、第二搬送装置５の搬送作用体４である搬送ベルト回転用のプーリ３１、第二搬送装置５の前側回転軸３２に伝動するための伝動用プーリの上側プーリ３３、第三搬送装置２５の搬送ベルト３４の駆動回転用プーリ３５（左右中央側２本の回転軸のみ）、第二切断装置６，６が切断作用するときにたまねぎの茎部Ｋを保持する茎部保持ローラの上側ローラ３６が取り付けられ、更に、作業部フレーム１１の回転軸取付部３０を挟んで下側に、前記第二搬送装置５の前側回転軸２８に伝動するための伝動用プーリの下側プーリ３７、前側の第二切断装置６，６の回転軸３８に伝動するための伝動用プーリ３９、前記茎部保持ローラの下側ローラ４０、後側の第二切断装置６，６である円盤状の回転刃を取り付けている。従って、エンジンの動力が第二搬送装置５の後側回転軸２８に伝動されて該回転軸が駆動回転し、これにより、第二搬送装置５の搬送ベルト回転用のプーリ３１、第二搬送装置５の前側回転軸３２への伝動用プーリ３３，３７、第三搬送装置２５の駆動回転用プーリ３５、茎部保持ローラ３６，４０、前側の第二切断装置６，６への伝動用プーリ３９、後側の第二切断装置６，６が一体回転する。
この第二搬送装置５の後側回転軸２８，２８，２８，２８のそれぞれの前方に、後側から前側に向けて順に、前記前側の第二切断装置６，６の回転軸３８、第二搬送装置５の前側回転軸３２、第二搬送装置５の左右外側の搬送作用体４，４の前側回転軸４１、第一搬送装置２の前側回転軸４２を作業部フレーム１１の各回転軸取付部３０…に取り付けている。なお、第一搬送装置２の四本の前側回転軸４２，４２，４２，４２は、左右中央側に配置した２本の前側回転軸４２，４２が左右両外側に配置した２本の前側回転軸４２，４２より前方に位置するように配置している。
前側の第二切断装置６，６の回転軸３８，３８，３８，３８のそれぞれには、下端部に前側の第二切断装置６，６である円盤状の回転刃を取り付け、その上側に、第二切断装置６，６が切断作用するときにたまねぎの茎部Ｋを保持する茎部保持ローラの下側ローラ４３を取り付け、この上側に第二搬送装置５の後側回転軸２８から伝動を受けるために設けた伝動用プーリ４４を取付け、更に、作業部フレーム１１の回転軸取付部３０を挟んで上側に茎部保持ローラの上側ローラ４５を取り付けている。そして、前記伝動用プーリ４４と前記第二搬送装置５の後側回転軸２８の下部に取り付けた伝動用プーリ３９とに伝動ベルト４６を巻き掛けて、当該回転軸３８が前記第二搬送装置５の後側回転軸２８から伝動されて回転し、第二切断装置６，６と茎部保持ローラ４３，４６が一体回転する構成となっている。
第二搬送装置５の前側回転軸３２，３２，３２，３２のそれぞれには、下端部に予備切断装置２１である円盤状の回転刃を取り付け、その上側に、第一搬送装置２の下側挟持搬送体１４を駆動する駆動プーリー４７を取り付け、この上側に第二搬送装置５の後側回転軸２８の下側から伝動を受けるために設けた伝動用プーリ４８を取付け、更に、作業部フレーム１１の回転軸取付部３０を挟んで上側に、第一搬送装置２の上側挟持搬送体１４を駆動する駆動プーリー４９を取り付け、その上側に、第二搬送装置５の後側回転軸２８の上側から伝動を受けるために設けた伝動用プーリ５０を取付け、更に上側に、第二搬送装置５の搬送作用体４である搬送ベルト回転用のプーリ５１を取り付けている。そして、上下の前記伝動用プーリ４８，５０と前記第二搬送装置５の後側回転軸２８の上下に取り付けた伝動用プーリ３３，３７とに伝動ベルト５２，５２を巻き掛け、また、第二搬送装置５の前側回転軸３２の搬送ベルト回転用のプーリ５１と第二搬送装置５の後側回転軸２８の搬送ベルト回転用のプーリ３１とに搬送作用体４である搬送ベルトを巻き掛ける。なお、第二搬送装置５の左右外側の搬送作用体４，４である搬送ベルトは、当該前側回転軸３２のプーリ５１で回さず、当該前側回転軸３２より前側に配置した前側回転軸４１，４１に取り付けたプーリ５３，５３に巻き掛ける。従って、当該前側回転軸３２が第二搬送装置５の後側回転軸２８から伝動されて回転するとともに、予備切断装置２１と第二搬送装置５の搬送作用体４が一体回転する構成となっている。なお、第二搬送装置５の搬送作用体４，４の前側を第一搬送装置２の挟持搬送体１４，１４の後側にオーバーラップさせて配置したことにより、第一搬送装置２から第二搬送装置５への引継ぎ搬送が良好に行われる。
第一搬送装置２の前側回転軸４２，４２，４２，４２のそれぞれには、作業部フレーム１１の回転軸取付部３０を挟んで上下に、第一搬送装置２の上下の挟持搬送体１４，１４の従動プーリー５４，５５を一体回転するように取り付ける。この従動プーリー５４，５５と、第二搬送装置５の前側回転軸３２の上下に取り付けた駆動プーリー４７，４９とに、第一搬送装置２の上下の挟持搬送体１４，１４を巻き掛け、第二搬送装置５の前側回転軸３２の回転によって第一搬送装置２の挟持搬送体１４…が駆動回転し、当該前側回転軸４２も回転する。
また、第一搬送装置２の前側回転軸にあって左右両外側の前側回転軸４２，４２の上下両端部には、左右両外側に設けた前記案内装置２２の搬送案内体２４，２４；２４，２４である上下の搬送ベルトを駆動回転するためのプーリ５６，５６；５６，５６を設けている。該プーリ５６，５６；５６，５６と、当該前側回転軸４２，４２回りに左右回動可能に取り付けた支持フレーム５７の上下に取り付けたプーリとに前記案内装置２２の搬送案内体２４，２４；２４，２４を巻き掛けて、当該前側回転軸４２，４２の回転によって、搬送案内体２４，２４；２４，２４が回転駆動する。更に、第一搬送装置２の前側回転軸にあって左右中央側２本の前側回転軸４２，４２の下端部には、平面視で外周に大きな歯を複数形成した歯車状回転板５８，５８を一体回転するように取り付けている。この歯車状回転板５８，５８が、畝Ｕに植立する採種用たまねぎＴを第一搬送装置２の搬送始端部に送り込むように回転し、第一搬送装置２の採種用たまねぎＴの取り込みが良好となる。
以上のように構成した採種用たまねぎ収穫機は、以下のように作用して収穫作業を行っていく。まず、左右の走行装置１，１が畝Ｕの左右の谷部分を通過するようにして畝Ｕを跨いだ状態に機体を位置させ、そして、左右の走行装置１，１を駆動して機体を自走させる。すると、門型状の機体フレーム７の内側を畝Ｕが通過していくようになり、この門型状の機体フレーム７の内側に設けた収穫作業部Ｗの作用を受けて畝Ｕに植立する採種用たまねぎＴが刈取り収穫される。
収穫作業部Ｗは、図５に示すように、まず、案内装置２２によって畝Ｕに植立する採種用たまねぎＴが第一搬送装置２の挟持搬送始端部に案内され、その案内された採種用たまねぎＴの茎部Ｋを第一搬送装置２が挟持して後方に搬送する。そして、その搬送中に第一切断装置３が採種用たまねぎＴの茎部Ｋを切断し、採種用たまねぎＴを畝から刈取る。畝から刈取られた採種用たまねぎＴは、第二搬送装置５に引き継がれるが、その前に予備切断装置２１が茎部Ｋを短く切断する。このように茎部Ｋを短く切断した後に、採種用たまねぎＴが、第二搬送装置５に引き継がれ第二搬送装置５の搬送作用体４，４にて後方に搬送される。ここで、第二搬送装置５の搬送作用体４，４は採種用たまねぎＴの茎Ｋ部の幅より広く花球部分Ｓの径よりも狭い間隔で左右に配置されているので、採種用たまねぎＴは前記第一搬送装置２による挟持状態が解かれて落下し、搬送作用体４，４に花球部分Ｓが支えられて茎部Ｋが吊下げられた状態で搬送される。このような状態で搬送されて、第二搬送装置５より設定間隔下方に配置した第二切断装置６，６が採種用たまねぎＴの茎部Ｋを花球部分Ｓから設定長さで切断する。第二切断装置６，６は前後に複数設けており、第二搬送装置５において上記のように採種用たまねぎＴが落下して搬送作用体４，４に花球部分Ｓが支えられ茎部Ｋが吊下げられた状態になるのが遅れた場合であっても、後側に配置した第二切断装置６によって茎部Ｋを花球部分Ｓから設定長さで切断するので、茎部Ｋの切り揃えが一層確実に行える。このように茎部Ｋを設定長さに切り揃えられた採種用たまねぎＴを第三搬送装置２５が受け取って茎部Ｋを挟持して搬送する。第三搬送装置２５によって搬送されてきた採種用たまねぎＴは、座席８，８に着座している作業者が受け取って、収穫容器載置部１０に載置した収穫容器に収容していく。収穫容器が採種用たまねぎＴで満杯になったら、作業者は、その満杯になった収穫容器を機体後方の地面に降ろし、機体の適所に載置しておいた空の収穫容器を収穫容器載置部１０に載置する。
以上のように、収穫作業部Ｗは、案内装置２２により畝Ｕに植立する採種用たまねぎＴを第一搬送装置２の挟持始端部に案内し、案内された採種用たまねぎＴを第一搬送装置２が挟持搬送してその搬送中で第一切断装置３が茎部Ｋを切断し採種用たまねぎＴを畝Ｕから刈取り、そして、第二搬送装置５と第二切断装置６、６により採種用たまねぎＴの茎部Ｋを設定長さに切り揃え、第三搬送装置２５によって収穫容器載置部１０に向けて搬出するという刈取り収穫作業工程を有する作業部となっている。更に、その収穫作業工程を有する作業経路が、左右に複数列（本例では２列）並列する構成としていて、畝Ｕに多数植立する採種用たまねぎＴを複数の作業経路に分けて作業を行うものなので、能率良く且つ適確に上記のような刈取り収穫作業が行える。
なお、第二切断装置６，６は、第二搬送装置５の途中と終端部に設けており、２段階に設けており、茎部Ｋの切り揃えが一層確実に行える。また、第一搬送装置２の搬送終端部下側にも予備切断装置２１を設けている。これにより、第二搬送装置５において採種用たまねぎＴが落下する前に茎部Ｋを事前に短く切断するものとなり、採種用たまねぎＴが落下したとき茎部Ｋの下端が畝上面或は刈取られた後の採種用たまねぎの切り株につっかえて充分に落下しなくなるのを防止できる。
また、畝Ｕに植立する採種用たまねぎＴの丈が全体的に高いときや低いときには、それに応じて、前記収穫作業部Ｗの第一搬送装置２と第二搬送装置５と第二切断装置６，６を機体に対して適宜高さに調節する。
畝Ｕの高さが機体に対して高いときや低いときには、それに応じて前記第一切断装置３を適宜高さに調節する。
収穫作業時以外では、前記収穫作業部Ｗを取り外しておけば、たまねぎの母球植え作業や防除作業などの他の作業時に、走行機体を畝Ｕを跨がせて自走させ、作業者は当該走行機体に乗車して作業が行える。なお、たまねぎの母球植え作業時には、たまねぎの母球を収容する容器を機体上に載せる載置部を走行機体に取付け、防除作業には、防除機を走行機体に取付けることもできる。
よって、以上のように構成して採種用たまねぎ収穫機を得ることにより、採種用たまねぎの刈取収穫作業が機械化できて採種用たまねぎの収穫作業の労力軽減が図れ、また、茎部の長さを揃えて採種用たまねぎを収穫できて後工程の結束作業や結束後の乾燥処理作業が容易となる。
また、畝Ｕに植立する採種用たまねぎの丈が全体的に高いときや低いときには、収穫作業部Ｗの高さを適宜調節できて、適確な収穫作業が行え、畝Ｕの高さが機体に対して高いときや低いときには、第一切断装置３の高さを適宜調節できて、畝に植立する採種用たまねぎを適確に刈取りできる。
そして、収穫作業時以外では、収穫作業部Ｗを取り外し、たまねぎの母球植え作業や防除作業などの他の作業時に走行機体を利用でき、機体の利用価値が高まり、他の作業の労力軽減も図れる。
なお、図示は省略したが、収穫作業部Ｗにより刈取り収穫された採種用たまねぎＴの茎Ｋを紐やテープ等の結束具で結束する結束装置を収穫作業部Ｗの後部に設ける構成とすると、収穫作業の一層の能率向上と労力軽減となる。
【図面の簡単な説明】
【図１】採種用たまねぎ収穫機の側面図。
【図２】採種用たまねぎ収穫機の平面図。
【図３】採種用たまねぎ収穫機の平面図。
【図４】収穫作業部の側面図。
【図５】収穫作用状態を示す側面図。
【符号の説明】
１，１：走行装置
２：第一搬送装置
３：第一切断装置
４，４：搬送作用体
５：第二搬送装置
６，６：第二切断装置
７：機体フレーム
Ｋ：採種用たまねぎの茎部
Ｓ：採種用たまねぎの花球部分
Ｔ：採種用たまねぎ
Ｕ：畝
Ｗ：収穫作業部
【図１】
2004041085.tif 000003
【図２】
2004041085.tif 000004
【図３】
2004041085.tif 000005
【図４】
2004041085.tif 000006
【図５】
2004041085.tif 000007